(57)【要約】  【課題】  文字や何らかの意味のある言葉をアクセサリとして身に付けたい、或いは、愛しい人に身に付けて欲しいという装着者・贈呈者の意図を最大限に生かすことのできるアクセサリを提供する。  【解決手段】  それ自体が数字又はアルファベット文字の形をした文字アクセサリエレメント１２、１３、１４を、チェイン１１に縦又は横に連続して連結又は取り付けた文字アクセサリ１０とする。【選択図】  図１
0003106720.tif 000002
【実用新案登録請求の範囲】
【請求項１】
それぞれ数字又はアルファベット文字の形を有するアクセサリエレメントを複数組み合わせて成る文字アクセサリ。
【請求項２】
a)チェインと、
b)数字又はアルファベット文字の形をしており、前記チェインに吊り下げられる第１文字アクセサリエレメントと、
c)同じく数字又はアルファベット文字の形をしており、リンクにより前記第１文字アクセサリエレメントに接続される第２文字アクセサリエレメントと、
を備えることを特徴とする文字アクセサリ。
【請求項３】
更に、リンクにより前記第２文字アクセサリエレメント又は先行する他の文字アクセサリエレメントに接続される文字アクセサリエレメントを１以上有することを特徴とする請求項２に記載の文字アクセサリ。
【請求項４】
前記リンクが可動であることを特徴とする請求項２又は３に記載の文字形アクセサリ。
【請求項５】
a)チェインと、
b)それぞれ数字又はアルファベット文字の形をしており、前記チェインに一列に並べて吊り下げられる複数の文字アクセサリエレメントと、
を備えることを特徴とする文字アクセサリ。
【考案の詳細な説明】
【技術分野】
【０００１】
本考案は、文字形のアクセサリ（装身具）に関する。
【背景技術】
【０００２】
従来より、アルファベットや数字等の文字を表した装身具は存在した。
例えば、特許文献１には、結合式文字入りアクセサリが開示されている。特許文献２には、表面に文字を施してなる多数個の駒体を紐等で連結して形成されるアクセサリが開示されている。特許文献３には、表面に文字を表した装飾片を保持ケース内に並べることにより形成されるアクセサリが開示されている。
【特許文献１】実開平7-17300号公報
【特許文献２】特開平11-290108号公報
【特許文献３】特開2002-219010号公報
【考案の開示】
【考案が解決しようとする課題】
【０００３】
上記従来の文字を使用したアクセサリはいずれも、小片の表面の文字を彫刻したり浮き彫りにしたものであり、小片自体は円形であったり長方形の板状であった。このため、一応文字は読みとれるものの、例えば遠くから見たとき等には、全体としては通常のアクセサリと何ら変わらない外形形状に見えるという欠点があった。
【０００４】
アクセサリに文字を用いる場合、多くの場合、アクセサリを装着する人やアクセサリを贈る人のイニシャルや生年月日等、その文字又は文字列には何らかの意味が込められている。そのため、従来のように全体として文字又は文字列が目立たないようでは、そのような意味付けが大きく減殺されてしまい、装着者・贈呈者の意図が十分に発現されない。
【０００５】
そこで本考案は、文字や何らかの意味のある言葉をアクセサリとして身に付けたい、或いは、愛しい人に身に付けて欲しいという装着者・贈呈者の意図を最大限に生かすことのできるアクセサリを提供する。
【課題を解決するための手段】
【０００６】
上記課題を解決するために成された本考案に係るアクセサリは、それぞれ数字又はアルファベット文字の形を有するアクセサリエレメントを複数組み合わせて成る文字アクセサリであることを特徴とする。
【０００７】
具体的態様としては、例えば、
a)チェインと、
b)数字又はアルファベット文字の形をしており、前記チェインに吊り下げられる第１文字アクセサリエレメントと、
c)同じく数字又はアルファベット文字の形をしており、リンクにより前記第１文字アクセサリエレメントに接続される第２文字アクセサリエレメントと、
を備えるようなものとすることができる。
【０００８】
本態様に係る文字形アクセサリは更に、リンクにより前記第２文字アクセサリエレメント又は先行する他の文字アクセサリエレメントに接続される文字アクセサリエレメントを１以上有するものとすることができる。
【０００９】
ここで、特に、前記リンクを可動とすることが望ましい。
【００１０】
また、別の具体的態様としては、
a)チェインと、
b)それぞれ数字又はアルファベット文字の形をしており、前記チェインに一列に並べて吊り下げられる複数の文字アクセサリエレメントと、
を備えるようなものとすることができる。
【考案の効果】
【００１１】
本考案に係るアクセサリは、アクセサリエレメント（要素、小片）自体が文字形をしているため、遠くから見てもその文字が常に明瞭に現れるようになる。そして、そのような文字（数字）形のアクセサリエレメントを複数組み合わせてなるため、例えば装着者・贈呈者のイニシャルや生年月日、好きな言葉等、自在に表現したものをアクセサリとして身に付けることができる。なお、アクセサリエレメントの素材としては、金・銀・プラチナ等の貴金属の他、それらに宝玉を嵌め込んだものを用いることができる。或いは、一般向けのアクセサリーの場合には、プラスチック製のものでも構わない。
【００１２】
このようなアクセサリは、ブローチのようにそれら文字アクセサリエレメントを単に縦・横等に並べるだけでもよいが、ネックレスやブレスレット、アンクレットとして用いるように、チェインに取り付けるようにしてもよい。この場合、各文字アクセサリエレメントを縦又は横一列に並べて、文字列全体として言葉が表現できるようにすることが望ましい。これにより、装着者・贈呈者の意図がより一層明確に表現されるようになる。
【００１３】
本考案に係る文字形アクセサリでは、文字の組み合わせは装着者・贈呈者が任意に選択することができるため、それらの者の意図を最大限に表現することができる。しかも、アクセサリの組み立ては容易に行うことができる。
【考案を実施するための最良の形態】
【００１４】
本考案のいくつかの実施例を図により説明する。
【００１５】
［実施例１］
図１は、ネックチェイン１１に文字形アクセサリエレメント１２〜１４を縦に連結したアクセサリ１０の一例である。図２に示すように、ネックチェイン１１に直接取り付けられる文字形アクセサリエレメント（第１文字形アクセサリエレメント）１２の上部には穴１２ａが設けられており、その穴１２ａにより文字形アクセサリエレメント１２はネックチェイン１１に吊り下げられる。
【００１６】
第１文字形アクセサリエレメント１２には、第２及び第３の文字形アクセサリエレメント１３、１４が縦に接続されるが、これらは各文字形アクセサリエレメント１３、１４の上部に固定されたリンク１３ａ、１４ａにより、先行する文字形アクセサリエレメント１２、１３に連結される。図３に示すように、本実施例では、各リンク１３ａ、１４ａは後行する方の文字形アクセサリエレメント１３、１４の頂部に固定されており、先行する文字形アクセサリエレメント１２、１３にはネジ１６等により左右に揺動可能に取り付けられる。なお、先行する文字形アクセサリエレメント１２、１３の底部には、リンク１３ａ、１４ａを挿入する穴１２ｂ、１３ｂが設けられているこれにより、本アクセサリ１０を装着したとき、各文字アクセサリエレメントが独自に揺動するため、文字が踊るような動的なアクセサリを構成することができる。
【００１７】
［実施例２］
図４は、ネックチェイン２１に文字形アクセサリエレメント２２〜２５を横に連結したアクセサリ２０の一例である。各文字形アクセサリエレメント２２〜２５はネックチェイン２１に直接取り付けられるため、上記実施例の第１文字形アクセサリエレメント１２をそのまま用いることができる。英文字列で言葉を表現したい場合には、このタイプのアクセサリ２０が適している。
【図面の簡単な説明】
【００１８】
【図１】本考案の第１実施例である縦型文字形アクセサリの正面図。
【図２】第１実施例の縦型文字形アクセサリで使用される各アクセサリエレメントの正面図及び側面図。
【図３】第１実施例の縦型文字形アクセサリの背面図。
【図４】本考案の第２実施例である横型文字形アクセサリの正面図。
【符号の説明】
【００１９】
１０、２０…アクセサリ
１１、２１…ネックチェイン
１２、１３、１４、２２、２３、２４、２５…文字形アクセサリエレメント
１２ａ…ネックチェイン用穴
１３ａ、１４ａ…リンク
１２ｂ、１３ｂ…リンク用穴
１６…ネジ
【図１】
0003106720.tif 000003
【図２】
0003106720.tif 000004
【図３】
0003106720.tif 000005
【図４】
0003106720.tif 000006